(57)【特許請求の範囲】
【請求項１】
ボトルの内液の注ぎ口に雌ネジを螺合して着脱自在に装着されるノズル付きのボトルキャップにおいて、
前記ボトルの内液の前記注ぎ口に当該ボトルキャップを装着し、前記ボトルを立設した状態で当該ボトルキャップを見た場合、
先端に吸い口が設けられて基部の端部に接続部を設けたノズルと、
前記雌ネジ、及び上部が開口した有底円筒形状で底面に挿通孔が形成されており、内部に前記ノズルを往復動可能に収容する収容部が設けられた本体と、
前記ノズルの基部に着脱自在に接続されて前記挿通孔を介して先端を内液に浸漬されるストローと、
前記本体にヒンジを介して開閉可能に取り付けられて本体の上面を覆って閉蓋時に前記ノズルを押圧する蓋部材とを備え、
前記ストローには、弾性を有する軟質材が用いられ、
前記挿通孔には、前記蓋部材が前記ノズルに付与する押圧力に対して前記ストローの移動を抑制する抑制手段が設けられ、
前記蓋部材が閉じられたときには、該蓋部材により前記ノズルが押圧され、前記ストローが前記ノズルと前記挿通孔の間で屈曲して内液の流路を遮断し、
前記蓋部材が開かれたときには、前記ストローのみの復元力により前記ノズルを押し上げ、
前記ノズルは、引き出し自在に前記収容部に収容されていることを特徴とするノズル付きのボトルキャップ。
【発明の詳細な説明】
【０００１】
【発明の属する技術分野】
近時、ペットボトル等のボトル内に詰められた自然水や清涼飲料等の中味を、ストローで飲む，所謂ゆる“ストロー飲み”を可能にするノズル付きのボトルキャップが開発されている。ノズル付きのボトルキャップを利用すればコップが不要で、しかも何回にも飲み分ける際に、その都度キャップの蓋ネジを回して開閉することなく、詰められた中身をノズルの飲み口で飲むことができて極めて都合がよい。
本発明は上述したようなノズル付きのボトルキャップに関するものである。
【０００２】
【従来の技術】
従来のこの種の類似キャップを用いた物品として、例えば実公平３−８０９０号公報と実公平３−１８３６２号記載の容器が知られている。図４において、１０１は容器本体、１０２は注入注出用口部、１０４は注入注出用口部１０２の閉塞部材、１０５は閉塞部材１０４に設けられたストロー導出用の小口部、１０６は小栓、１０６ｂはその嵌合部、１０９は保持筒である。また、１１０は螺着手段、１１１はストロー、１１２はストッパー、１１３はスプリングである。
【０００３】
容器本体１０１の内部の飲料を飲むときは、閉塞部材１０４の小口部１０５に嵌着した小栓１０６の嵌合部１０６ｂを外せば、小口部１０５の筒状縁１０５ａに螺着手段１１０で固着した保持筒１０９内のスプリング１１３の弾発力によりストロー１１１がストッパー１１２と小口部１０５の下端との当接位置まで持ち上げられる。そして、ストロー上端部が小口部１０５から突出することになり、突出したストロー１１１により内部飲料を吸飲することができる。また、スプリング１１３の弾発力に抗してストロー１１１を押し込むようにして小栓１０６を小口部１０５に嵌着すれば、ストロー１１１を容器本体１０１内に保持した元の状態に戻るようになっている。
【０００４】
図５は上記した実公平３−１８３６２号公報に掲載の図面で、（ａ）は全体の縦断面図、（ｂ）はキャップ部分の分解斜視図である。図５において、２０１は液体容器、２０２はキャップ、２０３はストロー、２０４はキャップ２０２の突出口、２０５はストロー２０３を突出させるバネ、２０６はレバー、２０７は開閉部材、２０８は内蓋、２０９は筒部、２１０はバネ２０５の下端部が嵌着された凹部である。また、２１１はストロー２０３に嵌めたパッキング、２１２は内蓋２０８と容器２０１との間のパッキング、２１３はキャップ２０２の側面に形成した凹部、２１４はレバー２０６が凹部２１０に飛び出す上下方向の孔、２１６は押しばねである。
【０００５】
図５に示した液体容器２０１の構成において、開閉部材２０７はストロー２０３の突出方向と交叉方向へスライドし、その先端部でストロー２０３の上端を抑えているので、ストロー２０３は突出口２０４から直ちに突出し、飲用後は押下げレバー２０６を押下げれば自動的に開閉部材２０７が突出口２０４を閉じる。また、ストロー２０３の上端に当接する開閉部材２０７は、漏液も防止する。また、開閉部材２０７をスライド操作すれば突出ばね２０５によりストロー２０３が突出口２０４から直ちに突出し、飲用後は押下げレバー２０６を押下れば自動的に突出口２０４が閉じられるようになっている。
【０００６】
【発明が解決しようとする課題】
しかしながら、図４と図５の従来装置は何れも角形や円筒形の固有の容器１０１と２０１に適合させて作られており、自然水や飲料水等の容器に共通的に利用できる汎用的な構造には構成されていない。また、キャップに相当する閉蓋部材１０４やキャップ２０２には帯状板部１０６ａを枢着させた小栓１０６や半球面内に沿ってスライドする開閉部材２０７等が設けられていて、両者はその構造が極めて複雑である。しかも、樹脂と異なる金属のスプリング１１３やバネ２０５，２１６を利用しているので、部品点数と資材の手配先の業種が増えるばかりか設計に当たって腐食対策を配慮しなければならない等の問題点があった。
【０００７】
本発明は、上述のような従来の問題点を解消するためになされたもので、ボトルの内液の注ぎ口に装着された固有の栓と取り替えて汎用的に利用することができ、簡単な構成で部品点数を少なくしてコストアップを押さえると共に、取り扱いが便利でコンパクトなノズル付きのボトルキャップを実現することを目的とするものである。
【０００８】
【課題を解決するための手段】
本発明は、ボトルの内液の注ぎ口に雌ネジを螺合して着脱自在に装着されるノズル付きのボトルキャップにおいて、ボトルの内液の注ぎ口にボトルキャップを装着し、ボトルを立設した状態でボトルキャップを見た場合、先端に吸い口が設けられて基部の端部に接続部を設けたノズルと、雌ネジ、及び上部が開口した有底円筒形状で底面に挿通孔が形成されており、内部にノズルを往復動可能に収容する収容部が設けられた本体と、ノズルの基部に着脱自在に接続されて挿通孔を介して先端を内液に浸漬されるストローと、本体にヒンジを介して開閉可能に取り付けられて本体の上面を覆って閉蓋時にノズルを押圧する蓋部材とを備え、ストローには、弾性を有する軟質材が用いられ、挿通孔には、蓋部材がノズルに付与する押圧力に対してストローの移動を抑制する抑制手段が設けられ、蓋部材が閉じられたときには、蓋部材によりノズルが押圧され、ストローがノズルと挿通孔の間で屈曲して内液の流路を遮断し、蓋部材が開かれたときには、ストローのみの復元力によりノズルを押し上げ、ノズルは、引き出し自在に収容部に収容されているノズル付きのボトルキャップを構成したものである。
【０００９】
【発明の実施の形態】
実施の形態１．
図１は実施の形態１の構成を示す断面図、図２は実施の形態１の動作を示す断面図である。実施の形態１では前記の従来例と同様に吸い口３２を垂直方向に突出させる突出型が採用されているが、構造面において著しく簡素化された特徴を有する。図１と図２において、１はボトルキャップである。ボトルキャップ１の素材にはポリプロピレン等が用いられ、破損し難いやや軟質な樹脂材で成型されている。２はボトルキャップ１の本体、３はノズル、４は蓋である。
【００１０】
また、１１はシリコーンチューブのようなゴム状の弾性樹脂を用いたストロー、１２はペットボトル、１３はペットボトル１２に詰められた内液である。２ａはキャップ型の本体２の内面側、２ｂは外面側である。２ｃは内面側２ａに設けられた雌ネジ、２ｅはリング状の平パッキンである。雌ネジ２ｃは垂直方向のキャップ軸Ｙ０−Ｙ０を中心に螺設されている。２２はノズル３を収容する収容部である。収容部２２は有底円筒状に形成され、キャップ軸Ｙ０−Ｙ０上で底部を内面側２ａに露出させている。
【００１１】
２２ａは収容部２２の底面に設けられたストロー１１の挿通孔で、ボトルキャップ１の内面側２ａから外面側２ｂに通じている。２２ｂは収容部２２の上端の内壁面の内側に折り曲げられた爪部、２２ｃは折り返し部である。折り返し部２２ｃは折り返し形状により、挿通孔２２ａに挿通されたストロー１１の移動を抑制する滑り止め機能が与えられる。２８は本体２の一端に設けられ蓋４を回動可能に支持するヒンジ部、２９はキャップ軸Ｙ０−Ｙ０を挟んで他端側に形成された係止部である。
【００１２】
一方、ノズル３は太径の基部３１と、この基部３１から放水筒状に延長された先細りの吸い口３２とを具備する。３５はノズル３の基部３１の上端の外周に設けられた抜け止めを防ぐ突条、３６は端部に形成された円筒溝である。円筒溝３６に包囲された内筒は、ストロー１１との接続部を構成する。そして、基部３１に形成された円筒溝３６に包囲された内筒にはストロー１１の上端が差し替え自在に固く嵌め込まれて、途中が挿通孔２２ａに挿通されている。このため、挿通孔２２ａに挿通されたストロー１１の挿入と引き出しに僅かな難易差を生じて、引き出し時には若干の抵抗力が加えられる。
【００１３】
特に、ストロー１１にはやや強いバネ性の復元力を有するシリコンチューブが用いられている。こうして、本体２の収容部２２内に収納されたノズル３は、基部３１が収容部２２の筒内の範囲でキャップ軸Ｙ０−Ｙ０に沿って往復動可能になっている。４１は蓋４を本体２のヒンジ部２８に回動可能に連結するヒンジ軸、４２は他端側の係止片である。蓋４はヒンジ軸４１を支点に１８０度を越えて回転して本体２の上部空間を開放し、係止片４２が係止部２９に係止されて本体２の上空が包囲される。
【００１４】
次に、図２を主にして、実施の形態１の動作を説明する。図２では、本考案のボトルキャップ１をペットボトルに適用した場合が例示されている。ペットボトル１２の注ぎ口に被された専用のキャップを取り除いてから、ノズル３の基部３１に接続されたストロー１１を注ぎ口に差し込む。図１に示されたような閉蓋状態のボトルキャップ１の雌ネジ２ｃを注ぎ口の雄ネジに螺入して、注ぎ口との接触面に介装されたパッキン２ｅを締め付けて装着する。この結果、図示されていないが、ペットボトル１２の中に挿入されたストロー１１の下端が内液１３内に余裕をもって沈められる。
【００１５】
内液１３を飲むときは、係止片４２と係止部２９との係止を解除し、蓋４をヒンジ軸４１を中心に時計方向に回転して本体２の上方を開放する。蓋４を解放すると、ストロー１１の復元力が作用して基部３１がストロー１１の上限位置又は突条３５が爪部２２ｂに当接する位置に押し上げられて吸い口３２が突出する。突出した吸い口３２内の空気を吸い込めば、連通された流路が負圧になって内液１３を飲むことができる。図２に示すように、突出した吸い口３２が垂直方向に保持されているので内液１３の吸飲に支障を来すことがない。
【００１６】
吸飲後、蓋４を閉めると吸い口３２の先端が蓋４の内壁に押圧されることにより、ノズル３は収納部２２内に押し下げられる。このとき、ノズル３に接続されたストロー１１は挿通孔２２ａの内周面に設けられた折り返し部２２ｃにより移動が抑制されているために圧縮されることになる。このとき、圧縮されたストロー１１は挿通孔２２ａにより外部に押し出されることなく、図１に示すように横方向に撓んで“つの字型”に屈曲することになり、この屈曲部により内液１３の流路が自動的に封鎖されて遮断される。
【００１７】
図１のように、ストロー１１は収容部２２の底面上で“つの字型”に屈曲して密着して流路を封鎖しているので、たとえ振動等が加わってペットボトル１２が倒れても内液１３が澪ぼれ出るようなことがない。実施の形態１によればノズル３を突出させるためのバネが不必要で面倒な組立操作が省け、部品点数と組立工数を減少させてコストの低減に寄与することが可能になる。
【００１８】
また、収納状態でノズル３は蓋４で覆われるので、衣類等との接触や塵埃の付着がなくなり衛生状態を保つことができる。ゴミ等が付着して汚れたときはノズル３を本体２の収容部２２から引き出して、汚れ易いノズル３を分離状態で簡単且つ綿密に洗浄することができる。同様に、必要があればストロー１１とパッキン２ｅも本体２から分解して洗浄可能である。このように、分解して洗浄を行うことにより、ボトルキャップ１を清潔に保つことができ、新たなペットボトル１２への使用も可能になる。
【００１９】
実施の形態２．
図３は実施の形態２の構成を示す要部の断面図である。図３において、４３は蓋４の内面でキャップ軸Ｙ０−Ｙ０上に形成された凹陥部、４４は板パッキンである。板パッキン４４には弾性を持つシリコンのような素材が用いられて、直径がやや小さく穿設された凹陥部４３内に取り外し自在に圧入されている。圧入された板パッキン４４は、蓋４の内面と同一面か或いは面より若干落ち込んで嵌入されている。そして、図示のように閉蓋時にノズル３の先端の吸い口３２が板パッキン４４に圧着して、流路の開口が封鎖されて内液１３の漏洩が防止されるようになっている。この場合、必ずしもストロー１１の“つの字型”の屈曲部が流路を封鎖していなくてもよい。
【００２０】
なお、上述の両実施の形態では本発明を自然水等を詰めたペットボトルの雄ネジを設けた注ぎ口に適用した場合を例示して説明したが、雌ネジの代替え構造を用いれば水筒や哺乳瓶等の他のボトルにも適用することができる。また、本体やノズルの形状等についても、同等の機能を果たす限りでは必ずしも実施の形態に限定するものではない。
【００２１】
【発明の効果】
本発明は、ボトルの内液の注ぎ口に雌ネジを螺合して着脱自在に装着されるノズル付きのボトルキャップにおいて、ボトルの内液の注ぎ口にボトルキャップを装着し、ボトルを立設した状態でボトルキャップを見た場合、先端に吸い口が設けられて基部の端部に接続部を設けたノズルと、雌ネジ、及び上部が開口した有底円筒形状で底面に挿通孔が形成されており、内部にノズルを往復動可能に収容する収容部が設けられた本体と、ノズルの基部に着脱自在に接続されて挿通孔を介して先端を内液に浸漬されるストローと、本体にヒンジを介して開閉可能に取り付けられて本体の上面を覆って閉蓋時にノズルを押圧する蓋部材とを備え、ストローには、弾性を有する軟質材が用いられ、挿通孔には、蓋部材がノズルに付与する押圧力に対してストローの移動を抑制する抑制手段が設けられ、蓋部材が閉じられたときには、蓋部材によりノズルが押圧され、ストローがノズルと挿通孔の間で屈曲して内液の流路を遮断し、蓋部材が開かれたときには、ストローのみの復元力によりノズルを押し上げ、ノズルは、引き出し自在に収容部に収容されているノズル付きのボトルキャップを構成した。
【００２２】
この結果、ノズルの往復動の動作にストローの屈伸性と弾力性の復元力を利用した実施の形態１と２によれば、従来に比較してバネ機構や回動機構が省略されて全体構成を著しく簡素化することができる。また、ストローを直接ノズルの基部に接続するので、ボトルの深さ等に応じて適宜適切な長さのストローに交換することができ取り扱いも便利になる。さらに、バネの省略で面倒な組立操作が省け、部品点数と組立工数を減少させる等の利点もある。特に、蓋にパッキンを設けた実施形態２によれば、ノズル突出用のバネを用いずに閉蓋時における内液の漏洩を完全に防止できるボトルキャップを実現できる。
【００２３】
よって、本発明によれば、ノズルを突出させて飲み易くし、簡単な構成で部品点数を少なくしてコストアップを押さえると共に、取り扱いが便利でコンパクトなノズル付きのボトルキャップを提供することができる。
【図面の簡単な説明】
【図１】実施の形態１の構成を示す断面図である。
【図２】実施の形態１の動作を示す断面図である。
【図３】実施の形態２の構成を示す要部の断面図である。
【図４】従来装置の構成を示す説明図である。
【図５】従来装置の別の構成を示す説明図である。
【符号の説明】
１  ボトルキャップ
２  本体
２ａ  内面側
２ｂ  外面側
２ｃ  雌ネジ
２ｅ  平パッキン
３  ノズル
４  蓋（蓋部材）
１１  ストロー
１２  ペットボトル
１３  内液
２２  収容部
２２ａ  挿通孔
２２ｂ  爪部
２２ｃ  折り返し部（滑り止め手段）
２８  ヒンジ部
２９  係止部
３１  基部
３２  吸い口
３５  突条
３６  円筒溝
４１  ヒンジ軸
４２  係止片
４３  凹陥部
４４  板パッキン
Ｏ−Ｏ  軸心
Ｙ０−Ｙ０  キャップ軸
【図１】
0004603657.tif 000002
【図２】
0004603657.tif 000003
【図３】
0004603657.tif 000004
【図４】
0004603657.tif 000005
【図５】
0004603657.tif 000006